(57)【特許請求の範囲】
【請求項１】
メータ検査器を水道メータに外付けした状態に保持し、前記水道メータの上部表示窓越しに視認可能なメータ可動部の回転数を、前記メータ検査器にて光学的に読み取り可能とするメータ検査器固定治具において、
前記上部表示窓に備えた透光板上に載置され、前記メータ検査器を前記透光板から浮かせた状態に保持する載置アダプタと、
前記載置アダプタの側部に設けられて、前記透光板を固定した前記水道メータのメータ上部リングより側方に張り出した側方張出壁と、
前記側方張出壁に貫通形成された複数の揺動許容孔と、
前記各揺動許容孔に上下動可能かつ揺動可能に挿通された複数の保持シャフトと、
前記各保持シャフトの下端部から前記水道メータ側に突出した下端係止部と、
前記保持シャフトと前記側方張出壁との間に設けられて、前記保持シャフトを上方に付勢することで前記下端係止部を前記メータ上部リングの下面に係止させるシャフト付勢スプリングとを備えたことを特徴とするメータ検査器固定治具。
【請求項２】
前記保持シャフトのうち前記側方張出壁より上方に突出した部分に直動可能に挿通されると共に前記保持シャフトと一体に揺動し、前記側方張出壁に当接することで前記保持シャフトの揺動姿勢を規制する直動カラーと、
前記保持シャフトの上端部に設けられ、前記直動カラーとの間で前記シャフト付勢スプリングを弾性変形させるスプリング係止部とを備えたことを特徴とする請求項１に記載のメータ検査器固定治具。
【請求項３】
前記直動カラーの下端部から側方に張り出したカラー下端フランジと、
前記側方張出壁に形成されて前記カラー下端フランジが面当接するフランジ当接面とを備えたことを特徴とする請求項２に記載のメータ検査器固定治具。
【請求項４】
前記フランジ当接面を、前記側方張出壁の側方先端に向かうに従って下るように傾斜させたことで、前記保持シャフトの下端部が前記水道メータ側に迫り出すように傾斜させたことを特徴とする請求項３に記載のメータ検査器固定治具。
【請求項５】
前記保持シャフトの長手方向の中間部から側方に張り出し、前記側方張出壁の下面に当接して前記保持シャフトの上方への移動を規制すると共に前記シャフト付勢スプリングを常に弾性変形した状態に保持する中間ストッパを備えたことを特徴とする請求項２乃至４の何れかに記載のメータ検査器固定治具。
【請求項６】
前記保持シャフトの下端部が貫通した状態で前記保持シャフトに保持され、前記保持シャフトの側方に張り出した係止板によって前記下端係止部を構成し、その係止板の外縁部には、大きさが異なる複数種類の前記水道メータに対応して曲率が異なる複数種類の円弧部が形成されことを特徴とする請求項１乃至５の何れかに記載のメータ検査器固定治具。
【請求項７】
前記載置アダプタは外径が円形をなすと共に、前記載置アダプタの外周面からストッパ壁を張り出し、
前記側方張出壁は、前記載置アダプタの外側に上方から嵌合されて前記ストッパ壁に当接すると共に、前記載置アダプタに対して相対回転可能な外嵌リングで構成されたことを特徴とする請求項１乃至６の何れかに記載のメータ検査器固定治具。
【請求項８】
前記載置アダプタには、外周面の円形の中心と異なる位置を中心にした円形をなして前記載置アダプタを上下方向に貫通し、前記メータ検査器を上方から嵌合可能なアダプタ貫通孔が備えられたことを特徴とする請求項７に記載のメータ検査器固定治具。
【請求項９】
前記載置アダプタと前記メータ検査器との間で上下方向で凹凸係合し、前記アダプタ貫通孔内における前記メータ検査器の回動を規制する凹凸係止部とを備えたことを特徴とする請求項８に記載のメータ検査器固定治具。
【請求項１０】
前記メータ検査器の代わりに前記載置アダプタに着脱可能に装着され、前記メータ検査器に備えた受光素子の光軸に沿った目視孔を貫通形成して有し、その目視孔を通して前記メータ可動部を目視確認するための目視確認治具を備えたことを特徴とする請求項１乃至９の何れかに記載のメータ検査器固定治具。
【請求項１１】
前記目視孔に先端部が装着されたファイバースコープを備えたことを特徴とする請求項１０に記載のメータ検査器固定治具。
【発明の詳細な説明】
【技術分野】
【０００１】
本発明は、メータ検査器を水道メータに外付けした状態に保持し、水道メータに備えたメータ可動部の回転数を、メータ検査器にて光学的に読み取り可能とするメータ検査器固定治具に関する。
【背景技術】
【０００２】
図１０に示した従来のメータ検査器固定治具１は、水道メータ８の上面に載置される２つの載置ブロック２Ａ，２Ｂと、それら２つの載置ブロック２Ａ，２Ｂの上面に跨って固定される連結ブロック３とから構成されている。
【０００３】
このメータ検査器固定治具１を、水道メータ８に固定する場合には、まず、２つの載置ブロック２Ａ，２Ｂを、互いに離した状態で水道メータ８の上面に載置し、これら載置ブロック２Ａ，２Ｂの間に形成された隙間４を塞ぐように連結ブロック３を載置する。次に、連結ブロック３を貫通した連結ボルト５Ａ，５Ｂをそれぞれ載置ブロック２Ａ，２Ｂに螺合して、載置ブロック２Ａ，２Ｂ及び連結ブロック３を仮固定する。この状態で、メータ検査器固定治具１に図示しない目視確認治具を装着し、目視確認治具によってメータ検査器固定治具１の位置合わせを行う。メータ検査器固定治具１が位置合わせされたら、連結ブロック３を貫通した複数の固定ボルト７，７（図１０には１つの固定ボルト７のみが示されている）を締め付けて、２つの載置ブロック２Ａ，２Ｂの間の隙間４に突入させる。すると、２つの載置ブロック２Ａ，２Ｂに対して互いに離れる方向の力がかかり、載置ブロック２Ａ，２Ｂの下面から突出した段付き突部Ｔ，Ｔの円弧面が円形凹所９の内周面９Ａに押し付けられてメータ検査器固定治具１が水道メータ８に対して回転不能となる。最後に、連結ボルト５Ａ，５Ｂを締め付けて、載置ブロック２Ａ，２Ｂ及び連結ブロック３を完全に固定する。以上の手順により、メータ検査器固定治具１は水道メータ８に固定され、目視確認治具に代えてメータ検査器６をメータ検査器固定治具１に装着することで、水道メータ８に備えたパイロット８Ａの回転数が光学的に読み取り可能となっていた。なお、本発明に関する先行技術文献は見つけることができなかった。
【発明の開示】
【発明が解決しようとする課題】
【０００４】
ところが、上述した従来のメータ検査器固定治具１は、水道メータ８に取り付ける際に、連結ボルト５Ａ，５Ｂや固定ボルト７，７など複数のボルトを工具を用いて締め付ける必要があり、水道メータ８への固定作業に手間がかかるという問題があった。また、水道メータ８に対する固定は、２つの載置ブロック２Ａ，２Ｂの下面に形成された段付き突部Ｔ，Ｔの円弧面を円形凹所９の内周面に押し付けるだけで行われているため、メータ検査器固定治具１に上向きの力が働くと、比較的容易に水道メータ８から脱落してしまうといった問題があった。これに対し、メータ検査器固定治具１を構成する各ブロック２Ａ，２Ｂ，３を全て金属製（例えば、真鍮製）にして、上向きの力が働いたときには、その重量によって水道メータ８から脱落し難くしたものがあるが、このような構成では、重量を重くした分、持ち運びが不便となる虞があった。
【０００５】
また一般に、水道メータ８に形成された円形凹所９の内径は、水道メータの種類（例えば、口径）によって異なっているため、水道メータ８の種類に応じて、その円形凹所９の内径寸法に適合する複数種類のメータ検査器固定治具１を準備しておく必要があった。
【０００６】
本発明は上記事情に鑑みてなされたものであって、従来よりも容易かつ確実に水道メータに固定することができると共に、汎用性を向上させることが可能なメータ検査器固定治具の提供を目的とする。
【課題を解決するための手段】
【０００７】
上記目的を達成するためになされた請求項１の発明に係るメータ検査器固定治具は、メータ検査器を水道メータに外付けした状態に保持し、水道メータの上部表示窓越しに視認可能なメータ可動部の回転数を、メータ検査器にて光学的に読み取り可能とするメータ検査器固定治具において、上部表示窓に備えた透光板上に載置され、メータ検査器を透光板から浮かせた状態に保持する載置アダプタと、載置アダプタの側部に設けられて、透光板を固定した水道メータのメータ上部リングより側方に張り出した側方張出壁と、側方張出壁に貫通形成された複数の揺動許容孔と、各揺動許容孔に上下動可能かつ揺動可能に挿通された複数の保持シャフトと、各保持シャフトの下端部から水道メータ側に突出した下端係止部と、保持シャフトと側方張出壁との間に設けられて、保持シャフトを上方に付勢することで下端係止部をメータ上部リングの下面に係止させるシャフト付勢スプリングとを備えたところに特徴を有する。
【０００８】
請求項２の発明は、請求項１に記載のメータ検査器固定治具において、保持シャフトのうち側方張出壁より上方に突出した部分に直動可能に挿通されると共に保持シャフトと一体に揺動し、側方張出壁に当接することで保持シャフトの揺動姿勢を規制する直動カラーと、保持シャフトの上端部に設けられ、直動カラーとの間でシャフト付勢スプリングを弾性変形させるスプリング係止部とを備えたところに特徴を有する。
【０００９】
請求項３の発明は、請求項２に記載のメータ検査器固定治具において、直動カラーの下端部から側方に張り出したカラー下端フランジと、側方張出壁に形成されてカラー下端フランジが面当接するフランジ当接面とを備えたところに特徴を有する。
【００１０】
請求項４の発明は、請求項３に記載のメータ検査器固定治具において、フランジ当接面を、側方張出壁の側方先端に向かうに従って下るように傾斜させたことで、保持シャフトの下端部が水道メータ側に迫り出すように傾斜させたところに特徴を有する。
【００１１】
請求項５の発明は、請求項２乃至４の何れかに記載のメータ検査器固定治具において、保持シャフトの長手方向の中間部から側方に張り出し、側方張出壁の下面に当接して保持シャフトの上方への移動を規制すると共にシャフト付勢スプリングを常に弾性変形した状態に保持する中間ストッパを備えたところに特徴を有する。
【００１２】
請求項６の発明は、請求項１乃至５の何れかに記載のメータ検査器固定治具において、保持シャフトの下端部が貫通した状態で保持シャフトに保持され、保持シャフトの側方に張り出した係止板によって下端係止部を構成し、その係止板の外縁部には、大きさが異なる複数種類の水道メータに対応して曲率が異なるところに特徴を有する。
【００１３】
請求項７の発明は、請求項１乃至６の何れかに記載のメータ検査器固定治具において、載置アダプタは外径が円形をなすと共に、載置アダプタの外周面からストッパ壁を張り出し、側方張出壁は、載置アダプタの外側に上方から嵌合されてストッパ壁に当接すると共に、載置アダプタに対して相対回転可能な外嵌リングで構成されたところに特徴を有する。
【００１４】
請求項８の発明は、請求項７に記載のメータ検査器固定治具において、載置アダプタには、外周面の円形の中心と異なる位置を中心にした円形をなして載置アダプタを上下方向に貫通し、メータ検査器を上方から嵌合可能なアダプタ貫通孔が備えられたところに特徴を有する。
【００１５】
請求項９の発明は、請求項８に記載のメータ検査器固定治具において、載置アダプタとメータ検査器との間で上下方向で凹凸係合し、アダプタ貫通孔内におけるメータ検査器の回動を規制する凹凸係止部とを備えたところに特徴を有する。
【００１６】
請求項１０の発明は、請求項１乃至９の何れかに記載のメータ検査器固定治具において、メータ検査器の代わりに載置アダプタに着脱可能に装着され、メータ検査器に備えた受光素子の光軸に沿った目視孔を貫通形成して有し、その目視孔を通してメータ可動部を目視確認するための目視確認治具を備えたところに特徴を有する。
【００１７】
請求項１１の発明は、請求項１０に記載のメータ検査器固定治具において、目視孔に先端部が装着されたファイバースコープを備えたところに特徴を有する。
【発明の効果】
【００１８】
［請求項１の発明］
メータ検査器固定治具を水道メータに固定する場合には、載置アダプタを水道メータの上部表示窓に備えた透光板上に載置する。このとき、側方張出壁の揺動許容孔に挿通された複数の保持シャフトを、その下端部が水道メータから離れるように外側に揺動させると共に、保持シャフトの下端部に備えた下端係止部が、メータ上部リングの下面より下方になるように、保持シャフトをシャフト付勢スプリングの付勢力に抗して下方に押しこむ。次いで、保持シャフトをその下端部が水道メータに接近するように内側に揺動させて、保持シャフトに対する下向きの押し付け力を解除すると、シャフト付勢スプリングの付勢力により、保持シャフトが上方へ移動し、下端係止部がメータ上部リングの下面に係止する。これにより、載置アダプタと水道メータのメータ上部リングとが上下方向で互いに押し付けあって、メータ検査器固定治具が水道メータに固定される。
【００１９】
このように本発明によれば、従来のメータ検査器固定治具に比較して、水道メータへの固定作業が容易となり、工具も必要としない。しかも、載置アダプタと水道メータのメータ上部リングとがシャフト付勢スプリングの付勢力により上下方向で押し付け合うからメータ検査器固定治具に上向きの力が働いても水道メータから脱落することを防止できる。また、メータ検査器固定治具を金属製としてその重量によって、上向きの力に対する脱落を防止したものに比較して、メータ検査器固定治具を軽量化することも可能である。さらに、メータ検査器固定治具は、水道メータに形成された円形凹所の内径に関係なく複数種類の水道メータに固定することができ、従来のものに比べて汎用性を向上させることができる。
【００２０】
［請求項２の発明］
請求項２の発明によれば、保持シャフトが揺動すると、直動カラーが側方張出壁に当接して、保持シャフトの揺動姿勢が規制される。また、保持シャフトが下方に押し込まれると、保持シャフトの上端部に設けられたスプリング係止部と直動カラーとの間でシャフト付勢スプリングが押し縮められて弾性変形する。
【００２１】
［請求項３の発明］
請求項３の発明によれば、常には、カラー下端フランジがシャフト付勢スプリングから下向きの力を受けてフランジ当接面に面当接しており、保持シャフトが揺動すると、カラー下端フランジの一部がフランジ当接面から浮き上がる。
【００２２】
［請求項４の発明］
請求項４の発明によれば、フランジ当接面が側方張出壁の側方先端に向かうに従って下るように傾斜したので、カラー下端フランジがフランジ当接面に面当接した状態では、直動カラーに挿通された保持シャフトの下端部が、フランジ当接面に直交するように傾く。つまり、保持シャフトは、その下端部が水道メータ側に迫り出す（水道メータに接近する）ように傾斜する。また、保持シャフトの下端部を水道メータから離すように揺動させると、カラー下端フランジの下面がフランジ当接面から離れて浮き上がる。
【００２３】
［請求項５の発明］
請求項５の発明によれば、常には、保持シャフトに備えられた中間ストッパが側方張出壁の下面に当接し、直動カラーが側方張出壁の上面に当接するから、保持シャフトのがたつきを防止できる。また、保持シャフトのうち中間ストッパよりも下側部分を、常時、側方張出壁の下方に突出させておくことができる。
【００２４】
［請求項６の発明］
請求項６の発明によれば、係止板の外縁部に形成された円弧部を水道メータ側に向けてメータ上部リングに係止させれば、その円弧部を水道メータの外周面に面当接或いは線当接させることができる。これにより、載置アダプタを水道メータの上面中央に位置決めすることができる。しかも、係止板には、複数種類の水道メータに対応して曲率の異なる複数種類の円弧部が備えられたので、それら複数種類の水道メータに対しても、対応する円弧部を水道メータの外周面に面当接或いは線当接させることができ、載置アダプタを水道メータの上面中央に位置決めすることができる。
【００２５】
［請求項７の発明］
メータ検査器固定治具を取り付ける場合には、まず、載置アダプタを水道メータの上部表示窓に備えた透光板上に載置し、次に、外嵌リングを載置アダプタの上方から挿入して外側に嵌合させる。ここで、載置アダプタを水道メータ上で回転させた場合に、外嵌リングは一体回転しない。
【００２６】
［請求項８の発明］
メータ検査器固定治具にメータ検査器を取り付ける場合には、載置アダプタに形成されたアダプタ貫通孔の上方からメータ検査器を嵌合させる。アダプタ貫通孔は、載置アダプタの外周面の円形の中心と異なる位置を中心にしているから、載置アダプタをメータ上部リング上で回転させると、その回転に伴って、水道メータのメータ可動部とメータ検査器との相対位置が変化する。そして、載置アダプタを回転させることで、メータ検査器の位置を、メータ可動部の回転数を光学的に読み取り可能な位置に位置合わせすることができる。
【００２７】
［請求項９の発明］
請求項９の発明によれば、メータ検査器がアダプタ貫通孔内で回動して、メータ可動部の回転数を光学的に読み取り可能な位置からずれることを防止できる。
【００２８】
［請求項１０及び１１の発明］
請求項１０の発明によれば、メータ検査器の代わりに目視確認治具を載置アダプタに装着し、目視確認治具と共に載置アダプタをメータ上部リング上で回転させて、目視確認治具に形成された目視孔を通してメータ可動部が目視確認できる位置に合わせる。メータ可動部が目視できたら、目視確認治具を取り外し、代わりにメータ検査器を取り付ける。これにより、メータ検査器に備えた受光素子の光軸上にメータ可動部が配置され、メータ可動部の回転数を光学的に読み取ることが可能となる。ここで、目視孔を直接覗くことでメータ可動部を目視確認してもよいし、請求項１１の発明のように、目視孔にファイバースコープの先端部を装着して、ファイバースコープの映像によりメータ可動部を目視確認してもよい。
【発明を実施するための最良の形態】
【００２９】
以下、本発明の第１実施形態を図１〜図８に基づいて説明する。本実施形態の水道メータ１０は、図１に示すように、鋳物下ケース１１の上端面に、鋳物上ケース１５を組み付けてなる。
【００３０】
鋳物下ケース１１は、上端開放の円柱体１３の外周面から相反する方向に一対の管路１４，１４を延設した構造をなす。そして、これら管路１４，１４が、図示しない水道管に連結されることで、水道管に流れる水が、水道メータ１０内を通過して、その積算量が計量される。
【００３１】
鋳物上ケース１５は、鋳物下ケース１１のうち円柱体１３の上端に螺合されており、その鋳物上ケース１５の上端寄り位置に硝子板１６Ａ（本発明の「透光板」に相当する）が嵌め込まれて、円柱体１３の上面開放口が閉塞された上部表示窓１６が構成されている。そして、上部表示窓１６を通して、鋳物下ケース１１の上端部に配置された表示部１２の表示を見ることができる。ここで、上部表示窓１６に備えた硝子板１６Ａは、鋳物上ケース１５の上端面よりも段付き状に低い位置に嵌め込まれており、これにより、鋳物上ケース１５の上面の中央部分には、段付き状に陥没した円形凹所１７が形成されている（図１を参照）。
【００３２】
なお、本実施形態の鋳物下ケース１１の外面には、水道メータ１０に流れる水の方向を示した矢印１９と、水道メータ１０が取り付けられる水道管の口径を表示した口径表示部２０とが付けられている。
【００３３】
鋳物上ケース１５の外縁部には、ヒンジ突部２５が設けられ、このヒンジ突部２５に、例えば合成樹脂製の蓋体２１が回動可能に連結されている。さらに、鋳物上ケース１５の上端面の外周縁には、段付き状に陥没した段付部１５Ａが設けられ、ここに、蓋体２１に設けた周壁２３が嵌合する。なお、蓋体２１は、図１に示すように、円板２２の周縁に周壁２３を備えた薄皿構造をなしており、この周壁２３が前記鋳物上ケース１５の段付部１５Ａに嵌合して、円板２２が上部表示窓１６を覆うように構成されている。
【００３４】
図２の（Ａ）に示すように表示部１２は、円形の表示領域を備え、表示部１２のほぼ中央部に、積算表示部３０が設けられる一方、表示部１２の円弧に沿って、複数（例えば、３つ）の回転指針３１が備えられている。また、回転指針３１と反対側には、本発明の「メータ可動部」としてのパイロット（回転指標）３２が備えられている。パイロット３２は、図２の（Ｂ）に示すように上面に例えば８つの反射面３２Ａを備え、同図（Ｃ）に示すように、水道メータ１０を通過する水道水の流量に応じて回転する回転軸３３の上端部に、ボス部３２Ｂを嵌合固着してなる。そしてこのパイロット３２の回転数が、公知なパイロット回転検査器４０（例えば、特許第３０５３４４２号公報に記載のもの）によって読み取り可能となっている。なお、パイロット回転検査器４０は、本発明に係る「メータ検査器」に相当する。
【００３５】
具体的には、パイロット回転検査器４０は、図６に示すように、上部表示窓１６に備えた硝子板１６Ａから浮かせた状態で配置され、その下端面に発光素子４１と受光素子４２とを備える。発光素子４１から出射された光は、硝子板１６Ａを通ってパイロット３２の反射面３２Ａで反射される。この反射光は硝子板１６Ａを通って受光素子４２で受光される。受光素子４２が反射光を受光すると、パイロット回転検査器４０に備えた図示しない信号処理部が１つの電気パルス信号を出力する。そして、この電気パルス信号を図示しないカウンタで計数することでパイロット３２の回転数が計測される。本実施形態では、パイロット４０が１回転すると、受光素子４２は８つの反射面３２Ａから順番に反射光を受光することになり、８つの電気パルス信号が出力されることになる。換言すれば、８つの電気パルス信号が出力されると、パイロット３２が１回転したことになる。
【００３６】
さて、上記したパイロット回転検査器４０は、図６に示すようにメータ検査器固定治具５０を介して水道メータ１０に外付け固定される。以下、メータ検査器固定治具５０を図３〜図６に基づいて詳説する。
【００３７】
メータ検査器固定治具５０は、水道メータ１０の鋳物上ケース１５の上面に載置される載置アダプタ５１を主要部として備える。載置アダプタ５１は、全体として扁平な円筒構造をなし、例えば合成樹脂で形成されている。載置アダプタ５１の外周円の中心から偏心した位置には、両端開放のアダプタ貫通孔５２が貫通形成されている。アダプタ貫通孔５２は円筒内面を有し、ここに、図６に示すようにパイロット回転検査器４０の下面から突出した円柱状の嵌合突部４３が凹凸嵌合するようになっている。また、アダプタ貫通孔５２の側方には、位置決め用孔５３が貫通形成されており、ここに、図６に示すようにパイロット回転検査器４０の下面から突出した位置決めピン４４が凹凸嵌合する。これにより、パイロット回転検査器４０が載置アダプタ５１に対して相対回転不能となりかつ位置決めされる。ここで、位置決め用孔５３と位置決めピン４４は、本発明の「凹凸係止部」に相当する。なお、位置決めピン４４は、パイロット回転検査器４０の下面に形成されたピン孔４５に圧入嵌合されている。
【００３８】
載置アダプタ５１の下端部の外周面には、段付き状に側方に張り出したストッパ壁５４が全周に亘って形成されている。また、載置アダプタ５１の下面中央部分からは、下方に向かって突出した段付き突部５５が形成されている。この段付き突部５５は、例えば扁平な円柱状をなしている。なお、段付き突部５５の外径は、円形凹所１７の内径よりも小さくなっている。そして、載置アダプタ５１の外側には、例えば、合成樹脂製の外嵌リング６０が嵌め込まれている。
【００３９】
外嵌リング６０は、載置アダプタ５１の外周面に摺接可能に嵌合しており、前記ストッパ壁５４の上面に係合している。外嵌リング６０は図４に示すように円環状をなしかつ、図３に示すように薄板構造をなしている。また、外嵌リング６０の上面６０Ａは、径方向の外側に向かうに従って下るように傾斜している。図４に示すように、外嵌リング６０の周方向で互いに１８０度離れた（径方向に並んだ）２カ所には、外嵌リング６０の外縁部から径方向の外側に向かって突片６１が延設されて幅広となっており、この幅広部分にそれぞれシャフト挿通孔６２（本発明の「揺動許容孔」に相当する）が貫通形成されている（図３を参照）。
【００４０】
シャフト挿通孔６２には、保持シャフト７１が遊嵌状態で挿通されており、シャフト挿通孔６２に対して上下動可能でかつ揺動可能となっている。保持シャフト７１の上端部には側方に向かって張り出した円板状のヘッド部７２（本発明の「スプリング係止部」に相当する）が備えられている。また、保持シャフト７１の中間部分で、外嵌リング６０より上側に突出した部分には、直動カラー７３と圧縮コイルバネ７４（本発明の「シャフト付勢スプリング」に相当する）とが挿通されている。直動カラー７３は、外嵌リング６０の上面６０Ａのうち、シャフト挿通孔６２の開口縁にあてがわれるカラー下端フランジ７３Ａから筒体７３Ｂが起立した構造になっており、この筒体７３Ｂに保持シャフト７１が摺接可能に挿通されている。また、圧縮コイルバネ７４は、保持シャフト７１のヘッド部７２とカラー下端フランジ７３Ａとの間で、常に圧縮状態となっている。そして、圧縮コイルバネ７４の弾発力により、保持シャフト７１が、常に上方に付勢されている。また、カラー下端フランジ７３Ａは、図３に示すように、圧縮コイルバネ７４によって下方に押し付けられて常には、外嵌リング６０の上面６０Ａに面当接している。従って、直動カラー７３に挿通された保持シャフト７１は、外嵌リング６０の傾斜した上面６０Ａに直交するようにシャフト挿通孔６２を貫通しており、下端部に向かうに従って外嵌リング６０の中心に近づくような傾斜姿勢となっている。なお、外嵌リング６０の上面６０Ａは、本発明の「フランジ当接面」に相当する。
【００４１】
保持シャフト７１の中間部分で、外嵌リング６０より下側部分には、全周に亘って環状溝７５が形成されており、ここにＥリング７６（本発明の「中間ストッパ」に相当する）が嵌合装着されている。Ｅリング７６は、保持シャフト７１の周面から側方に張り出しており、常には外嵌リング６０の下面に当接している。これにより、圧縮コイルバネ７４の弾発力による保持シャフト７１の上方への移動が規制されると共に、圧縮コイルバネ７４がヘッド部７２とカラー下端フランジ７３Ａとの間で常に圧縮状態に保持されている。また、図３に示すように、常には、直動カラー７３とＥリング７６とで外嵌リング６０を板厚方向で挟んでいるから、保持シャフト７１のがたつきも防止できる。
【００４２】
保持シャフト７１の下端部には係止板７７が取り付けられている。詳細には、保持シャフト７１の下端部には段付き状に縮径した雄螺旋部７１Ａが形成され、係止板７７の中央部には、その雄螺旋部７１Ａが貫通する貫通孔７７Ｄが形成されている。そして、貫通孔７７Ｄに雄螺旋部７１Ａを貫通させた状態で係止板７７の下面にバネ座金７８をあてがい、さらにその下方からナット７９を締め付けることで、係止板７７が保持シャフト７１の下端部に回転不能に固定されている。
【００４３】
係止板７７は、例えば、合成樹脂製の異形板状をなし、その外縁部には、図５に示すように、互いに異なる曲率を有して凹状に湾曲した３つの円弧部７７Ａ，７７Ｂ，７７Ｃが形成されている。これら円弧部７７Ａ，７７Ｂ，７７Ｃの曲率は、大きさの異なる複数種類の水道メータ１０にそれぞれ対応している。具体的には、各円弧部７７Ａ，７７Ｂ，７７Ｃの曲率は、水道メータ１０のうち、円柱体１３の上端１３Ａにおける外周面の曲率とほぼ同じとなっている。なお、係止板７７のうち各円弧部７７Ａ，７７Ｂ，７７Ｃの近傍部分には、その円弧部が対応する水道メータ１０の型式記号を付しておくとよい。また、円柱体１３の上端１３Ａの曲率は、水道メータ１０が取り付けられる水道管の口径によって異なっているから、型式記号の代わりに水道管の口径を付しておいてもよい。上記したように水道管の口径は、水道メータ１０の側面に表示されているので、口径を付しておくと円弧部を選択する際には便利である。
【００４４】
本発明のメータ検査器固定治具５０の構造に関する説明は以上であり、以下作用・効果を説明する。例えば、漏水検査や、水道メータ１０の精度検査（器差測定）のために、パイロット回転検査器４０を水道メータ１０に取り付ける場合には、水道メータ１０の蓋体２１を開いて、そこにメータ検査器固定治具５０を取り付ける。具体的には、図７に示すように、載置アダプタ５１を水道メータ１０の上部表示窓１６に備えた硝子板１６Ａ上に載置する。このとき、載置アダプタ５１の下面から突出した段付き突部５５を鋳物上ケース１５の上面に形成された円形凹所１７内に受容させておく。なお、段付き突部５５は円形凹所１７に対して遊嵌しており、硝子板１６Ａから上方に僅かに浮いている。
【００４５】
次に、水道メータ１０の外面に付された口径表示部２０の表示又は型式記号に基づいて、水道メータ１０の円柱体１３の上端１３Ａにおける外周面の曲率を判別し、その曲率に適合する円弧部（例えば、円弧部７７Ｃ）が、外嵌リング６０の内側を向くように係止板７７，７７の位置を調節する。具体的には、保持シャフト７１の上端部を摘んで保持シャフト７１をシャフト挿通孔６２内で回転させる。
【００４６】
次に、保持シャフト７１，７１の上端部を外嵌リング６０の中心側に押し倒して、保持シャフト７１，７１の下端部同士の間隔が、鋳物上ケース１５の直径より大きくなるように保持シャフト７１，７１を傾動させ、この状態で保持シャフト７１，７１を下方へ押し込む。このとき、直動カラー７３のカラー下端フランジ７３Ａが、外嵌リング６０の上面６０Ａから浮き上がると共に、圧縮コイルバネ７４が押し縮められ、Ｅリング７６が外嵌リング６０の下面から離間する。
【００４７】
そして、保持シャフト７１，７１を傾動させかつ下方に押し込んだ状態で、外嵌リング６０を載置アダプタ５１の上側から嵌め込み、ストッパ壁５４に当接するまで押し込む。すると、保持シャフト７１，７１の下端部に取り付けられた係止板７７，７７が、鋳物上ケース１５の下面よりも下方で、鋳物下ケース１１の側方に配置される。
【００４８】
載置アダプタ５１に外嵌リング６０を嵌合したら、保持シャフト７１，７１から手を離して保持シャフト７１，７１の上端部に対する内向き及び下向きの押圧力を解除する。すると、圧縮コイルバネ７４の弾発力により、保持シャフト７１が元の傾斜姿勢（図３を参照）に向かって揺動すると共に上方へ移動する。
【００４９】
詳細には、図８に示すように、カラー下端フランジ７３Ａのうち外嵌リング６０から浮き上がった部分が、圧縮コイルバネ７４に押されて外嵌リング６０の上面６０Ａ側に傾動し、これに伴い、保持シャフト７１の下端部が外嵌リング６０の中心に向かって揺動して、水道メータ１０側に迫り出す。そして、係止板７７，７７のうち、外嵌リング６０の内側を向いた円弧部７７Ｃ，７７Ｃが、水道メータ１０の外周面（詳細には、円柱体１３の上端１３Ａ外周面）に面当接或いは線当接する。これにより、載置アダプタ５１が鋳物上ケース１５の中央部に位置合わせされる。
【００５０】
また、図８に示すように、保持シャフト７１が上方へ移動することで、係止板７７が鋳物上ケース１５の下面に係止され、鋳物上ケース１５と載置アダプタ５１とが係止板７７，７７と外嵌リング６０とで上下から挟まれて固定される。これにより、載置アダプタ５１の水道メータ１０からの脱落が防止される。
【００５１】
メータ検査器固定治具５０が固定されたら、そのメータ検査器固定治具５０にパイロット回転検査器４０を取り付けるが、その前に、パイロット回転検査器４０を取り付けたときに、受光素子４２の光軸上に水道メータ１０のパイロット３２が配置されるように、予め、メータ検査器固定治具５０を位置合わせしておく。
【００５２】
具体的には、載置アダプタ５１に、パイロット回転検査器４０と同じ外形構造を有する目視確認治具８０を取り付ける。即ち、目視確認治具８０の下面から突出した嵌合突部８３をアダプタ貫通孔５２に嵌合しかつ目視確認治具８０の下面に圧入嵌合された位置決めピン８４を位置決め用孔５３に凹凸嵌合して、目視確認治具８０を載置アダプタ５１に対して相対回転不能に取り付ける。次に、目視確認治具８０の側面から下面に向かって斜めに貫通した目視孔８１に図示しないファイバースコープを挿入するか或いは、目視孔８１を直接覗きつつ、目視確認治具８０を載置アダプタ５１と共に水道メータ１０上で回転操作する。このとき、載置アダプタ５１は水道メータ１０（鋳物上ケース１５）の上面及び外嵌リング６０の内周面に摺接して、外嵌リング６０は載置アダプタ５１と共に回転しないから、保持シャフト７１，７１が水道メータ１０の外側を移動することはない。
【００５３】
そして、目視孔８１を通してパイロット３２が視認できたら回転操作を止め、目視確認治具８０に換えてパイロット回転検査器４０を載置アダプタ５１に取り付ける。すると、図６に示すように、パイロット回転検査器４０が水道メータ１０の上部表示窓１６（硝子板１６Ａ）から上方に浮いた状態で保持されると共に、受光素子４２の光軸上にパイロット３２が配置されて、パイロット３２からの反射光を受光素子４２で受光可能となりパイロット３２の回転数が計測可能となる。
【００５４】
このように、本実施形態によれば、従来のメータ検査器固定治具に比較して水道メータ１０への固定作業が容易であり、また、工具も必要としない。しかも、載置アダプタ５１と水道メータ１０の鋳物上ケース１５とが外嵌リング６０と係止板７７との間で上下方向で挟持されるから、メータ検査器固定治具５０に上向きの力が働いても水道メータ１０から脱落することが防がれる。また、メータ検査器固定治具を金属製としてその重量によって、上向きの力に対する脱落を防止したものに比較して、メータ検査器固定治具５０を軽量化することができる。さらに、水道メータ１０に形成された円形凹所１７の内径に関係なく複数種類の水道メータ１０に固定することができ、従来のものに比べて汎用性が高い。
【００５５】
しかも、水道メータ１０の種類に応じて係止板７７の３つの円弧部７７Ａ，７７Ｂ，７７Ｃの中から適合する１つを選択して、その円弧部を水道メータ１０の外周面に面当接或いは線当接させることができるので、水道メータ１０の種類が異なっても、載置アダプタ５１を常に水道メータ１０（鋳物上ケース１５）の上面中央に配置することができる。
【００５６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５７】
（１）上記実施形態では、アダプタ貫通孔５２を円筒内面としたが、多角形内面としてもよい。
【００５８】
（２）上記実施形態では、本発明に係る「側方張出壁」を、載置アダプタ５１の外側に嵌合した外嵌リング６０としたが、例えば、図９に示すように、載置アダプタ５１の外周面から径方向外側に突出した複数の突出壁６３を「側方張出壁」としてもよい。
【００５９】
（３）上記実施形態では、保持シャフト７１に本発明の「中間ストッパ」としてＥリング７６を嵌合装着していたが、保持シャフト７１の周面を側方に膨出させてその膨出部分を「中間ストッパ」としてもよい。
【００６０】
（４）上記実施形態では、保持シャフト７１を２つ備えていたが、３つ以上であってもよい。これら複数の保持シャフト７１は、外嵌リング６０の周方向で等間隔に設けておくことが好ましい。
【００６１】
（５）上記実施形態では、本発明の「メータ可動部」としてパイロット３２を例示したが、例えば回転指針３１の回転数を読み取るようにしてもよい。
【００６２】
（６）上記実施形態では、係止板７７が保持シャフト７１の下端部に回転不能に固定されていたが、保持シャフト７１に対して回転可能に取り付けてもよい。
【図面の簡単な説明】
【００６３】
【図１】本発明の実施形態に係る水道メータの斜視図
【図２】（Ａ）水道メータの平面図、（Ｂ）パイロットの平面図、（Ｃ）パイロットの側断面図
【図３】メータ検査器固定治具の部分側断面図
【図４】メータ検査器固定治具の平面図
【図５】メータ検査器固定治具の底面図
【図６】水道メータに固定されかつメータ検査器が装着されたメータ検査器固定治具の部分断面図
【図７】取り付け過程におけるメータ検査器固定治具の部分断面図
【図８】目視確認治具が装着されたメータ検査器固定治具の部分断面図
【図９】他の実施形態（２）に係るメータ検査器固定治具の平面図
【図１０】従来のメータ検査器固定治具の断面図
【符号の説明】
【００６４】
１０    水道メータ
１５    鋳物上ケース（メータ上部リング）
１６    上部表示窓
１６Ａ    硝子板（透光板）
３２    パイロット（メータ可動部）
４０    パイロット回転検査器（メータ検査器）
４２    受光素子
４４    位置決めピン（凹凸係止部）
５０    メータ検査器固定治具
５１    載置アダプタ
５２    アダプタ貫通孔
５３    位置決め用孔（凹凸係止部）
５４    ストッパ壁
６０    外嵌リング（側方張出壁）
６０Ａ    上面（フランジ当接面）
６２    シャフト挿通孔（揺動許容孔）
６３    突出壁（側方張出壁）
７１    保持シャフト
７２    ヘッド部（スプリング係止部）
７３    直動カラー
７３Ａ    カラー下端フランジ
７４    圧縮コイルバネ（シャフト付勢スプリング）
７６    Ｅリング（中間ストッパ）
７７    係止板
７７Ａ，７７Ｂ，７７Ｃ    円弧部
８０    目視確認治具
８１    目視孔
【図１】
0004841941.tif 000002
【図２】
0004841941.tif 000003
【図３】
0004841941.tif 000004
【図４】
0004841941.tif 000005
【図５】
0004841941.tif 000006
【図６】
0004841941.tif 000007
【図７】
0004841941.tif 000008
【図８】
0004841941.tif 000009
【図９】
0004841941.tif 000010
【図１０】
0004841941.tif 000011